【手続補正書】
【提出日】平成21年11月12日(2009.11.12)
【手続補正１】
【補正対象書類名】明細書
【補正対象項目名】発明の名称
【補正方法】変更
【補正の内容】
【発明の名称】釣銭補充管理システム、釣銭補充管理方法、棒金収納庫および判定手段
【手続補正２】
【補正対象書類名】特許請求の範囲
【補正対象項目名】全文
【補正方法】変更
【補正の内容】
【特許請求の範囲】
【請求項１】
複数金種の棒金硬貨を収納可能な棒金収納庫と、
この棒金収納庫の近傍に配設され、当該棒金収納庫と通信接続された硬貨釣銭機と、
を備え、
前記棒金収納庫は、
収納庫本体と、
この収納庫本体に対して引出し自在に設けられ、特定金種の棒金硬貨をそれぞれ１本ずつ収納可能な複数の棒金収納部が設けられた少なくとも１つの棒金ドロアと、
この棒金ドロアの各棒金収納部ごとに棒金硬貨の有無を検知する棒金有無検知手段と、
この有無検知手段による検知結果を前記硬貨釣銭機へ送信する検知結果送信手段と、
を有し、
前記硬貨釣銭機は、
釣銭用として補充されるバラ硬貨が投入される投入口と、
この投入口へ投入されたバラ硬貨の金種および枚数を識別する識別手段と、
前記棒金収納庫の検知結果送信手段から送信された検知結果に基づいて、前記棒金収納庫の棒金ドロアから取り出された棒金硬貨である取出棒金硬貨の金種および本数を特定する棒金特定手段と、
前記取出棒金硬貨の包装を解いて得られたバラ硬貨が前記投入口へ投入された際に前記識別手段によって識別された当該バラ硬貨の金種および枚数と、前記棒金特定手段によって特定された前記取出棒金硬貨の金種および本数とを比較して両者間の対応を判定する判定手段と、
を有する、ことを特徴とする釣銭補充管理システム。
【請求項２】
複数金種の棒金硬貨を収納可能な棒金収納庫と、
この棒金収納庫の近傍に配設され、当該棒金収納庫と通信接続された硬貨釣銭機と、
この硬貨釣銭機の近傍に配設され、当該硬貨釣銭機と通信接続された金銭登録機と、
を備え、
前記棒金収納庫は、
収納庫本体と、
この収納庫本体に対して引出し自在に設けられ、特定金種の棒金硬貨をそれぞれ１本ずつ収納可能な複数の棒金収納部が設けられた少なくとも１つの棒金ドロアと、
この棒金ドロアの各棒金収納部ごとに棒金硬貨の有無を検知する棒金有無検知手段と、
この有無検知手段による検知結果を前記硬貨釣銭機へ送信する検知結果送信手段と、
を有し、
前記硬貨釣銭機は、
釣銭用として補充されるバラ硬貨が投入される投入口と、
この投入口へ投入されたバラ硬貨の金種および枚数を識別する識別手段と、
前記棒金収納庫の検知結果送信手段から送信された検知結果に基づいて、前記棒金収納庫の棒金ドロアから取り出された棒金硬貨である取出棒金硬貨の金種および本数を特定する棒金特定手段と、
この特定手段によって特定された前記取出棒金硬貨の金種および本数を前記金銭登録機へ送信する棒金情報送信手段と、
前記取出棒金硬貨の包装を解いて得られたバラ硬貨が前記投入口へ投入された際に前記識別手段によって識別された当該バラ硬貨の金種および枚数を前記金銭登録機へ送信するバラ硬貨情報送信手段と、
を有し、
前記金銭登録機は、前記硬貨釣銭機の棒金情報送信手段から送信された前記取出棒金硬貨の金種および本数と、前記硬貨釣銭機のバラ硬貨情報送信手段から送信された前記バラ硬貨の金種および枚数とを比較して両者間の対応を判定する判定手段を有する、ことを特徴とする釣銭補充管理システム。
【請求項３】
複数金種の棒金硬貨を収納可能な棒金収納庫と、
この棒金収納庫の近傍に配設され、当該棒金収納庫と通信接続された硬貨釣銭機と、
を備え、
前記棒金収納庫から取り出された棒金硬貨である取出棒金硬貨の包装を解いて得られたバラ硬貨の硬貨釣銭機への補充を管理する釣銭補充管理システムであって、
前記棒金収納庫は、
収納庫本体と、
この収納庫本体に対して引出し自在に設けられ、特定金種の棒金硬貨をそれぞれ１本ずつ収納可能な複数の棒金収納部が設けられた少なくとも１つの棒金ドロアと、
この棒金ドロアの各棒金収納部ごとに棒金硬貨の有無を検知する棒金有無検知手段と、を有し、
前記硬貨釣銭機は、
釣銭用として補充されるバラ硬貨が投入される投入口と、
この投入口へ投入されたバラ硬貨の金種および枚数を識別する識別手段と、
前記取出棒金硬貨の包装を解いて得られたバラ硬貨が前記投入口へ投入された際に前記識別手段によって識別された当該バラ硬貨の金種および枚数と、前記棒金収納庫における前記棒金有無検知手段の検知結果に基づいて特定される前記取出棒金硬貨の金種および本数とを比較して両者間の対応を判定する判定手段と、
を有する、ことを特徴とする釣銭補充管理システム。
【請求項４】
複数金種の棒金硬貨を収納可能な棒金収納庫と、
この棒金収納庫の近傍に配設され、当該棒金収納庫と通信接続された硬貨釣銭機と、
この硬貨釣銭機の近傍に配設され、当該硬貨釣銭機と通信接続された金銭登録機と、
を備え、
前記棒金収納庫から取り出された棒金硬貨である取出棒金硬貨の包装を解いて得られたバラ硬貨の硬貨釣銭機への補充を管理する釣銭補充管理システムであって、
前記棒金収納庫は、
収納庫本体と、
この収納庫本体に対して引出し自在に設けられ、特定金種の棒金硬貨をそれぞれ１本ずつ収納可能な複数の棒金収納部が設けられた少なくとも１つの棒金ドロアと、
この棒金ドロアの各棒金収納部ごとに棒金硬貨の有無を検知する棒金有無検知手段と、を有し、
前記硬貨釣銭機は、
釣銭用として補充されるバラ硬貨が投入される投入口と、
この投入口へ投入されたバラ硬貨の金種および枚数を識別する識別手段と、
前記取出棒金硬貨の包装を解いて得られたバラ硬貨が前記投入口へ投入された際に前記識別手段によって識別された当該バラ硬貨の金種および枚数を前記金銭登録機へ送信するバラ硬貨情報送信手段と、
を有し、
前記金銭登録機は、前記棒金収納庫における前記棒金有無検知手段の検知結果に基づいて特定される前記取出棒金硬貨の金種および本数と、前記硬貨釣銭機のバラ硬貨情報送信手段から送信された前記バラ硬貨の金種および枚数とを比較して両者間の対応を判定する判定手段を有する、ことを特徴とする釣銭補充管理システム。
【請求項５】
複数金種の棒金硬貨を収納可能な棒金収納庫と、
この棒金収納庫の近傍に配設され、当該棒金収納庫と通信接続された硬貨釣銭機と、
を備え、
前記棒金収納庫から取り出された棒金硬貨である取出棒金硬貨の包装を解いて得られたバラ硬貨の硬貨釣銭機への補充を管理する釣銭補充管理システムであって、
前記棒金収納庫は、
収納庫本体と、
この収納庫本体に対して引出し自在に設けられ、棒金硬貨をそれぞれ１本ずつ収納可能な複数の棒金収納部が設けられた少なくとも１つの棒金ドロアと、
この棒金ドロアの各棒金収納部ごとに棒金硬貨の有無および金種を検知する棒金検知手段と、
を有し、
前記硬貨釣銭機は、
釣銭用として補充されるバラ硬貨が投入される投入口と、
この投入口へ投入されたバラ硬貨の金種および枚数を識別する識別手段と、
前記取出棒金硬貨の包装を解いて得られたバラ硬貨が前記投入口へ投入された際に前記識別手段によって識別された当該バラ硬貨の金種および枚数と、前記棒金収納庫における前記棒金検知手段の検知結果に基づいて特定される前記取出棒金硬貨の金種および本数とを比較して両者間の対応を判定する判定手段と、
を有する、ことを特徴とする釣銭補充管理システム。
【請求項６】
複数金種の棒金硬貨を収納可能な棒金収納庫と、
この棒金収納庫の近傍に配設され、当該棒金収納庫と通信接続された硬貨釣銭機と、
この硬貨釣銭機の近傍に配設され、当該硬貨釣銭機と通信接続された金銭登録機と、
を備え、
前記棒金収納庫から取り出された棒金硬貨である取出棒金硬貨の包装を解いて得られたバラ硬貨の硬貨釣銭機への補充を管理する釣銭補充管理システムであって、
前記棒金収納庫は、
収納庫本体と、
この収納庫本体に対して引出し自在に設けられ、棒金硬貨をそれぞれ１本ずつ収納可能な複数の棒金収納部が設けられた少なくとも１つの棒金ドロアと、
この棒金ドロアの各棒金収納部ごとに棒金硬貨の有無および金種を検知する棒金検知手段と、
を有し、
前記硬貨釣銭機は、
釣銭用として補充されるバラ硬貨が投入される投入口と、
この投入口へ投入されたバラ硬貨の金種および枚数を識別する識別手段と、
前記取出棒金硬貨の包装を解いて得られたバラ硬貨が前記投入口へ投入された際に前記識別手段によって識別された当該バラ硬貨の金種および枚数を前記金銭登録機へ送信するバラ硬貨情報送信手段と、
を有し、
前記金銭登録機は、前記棒金収納庫における前記棒金検知手段の検知結果に基づいて特定される前記取出棒金硬貨の金種および本数と、前記硬貨釣銭機のバラ硬貨情報送信手段から送信された前記バラ硬貨の金種および枚数とを比較して両者間の対応を判定する判定手段を有する、ことを特徴とする釣銭補充管理システム。
【請求項７】
前記棒金収納庫における前記棒金ドロアの各棒金収納部は、特定金種の棒金硬貨をそれぞれ１本ずつ収納可能となっている、ことを特徴とする請求項５または６記載の釣銭補充管理システム。
【請求項８】
前記棒金収納庫は、収納する少なくとも１金種の棒金硬貨の状態を表示する表示手段を更に有している、ことを特徴とする請求項１から７のいずれか一項に記載の釣銭補充管理システム。
【請求項９】
前記表示手段は、前記棒金硬貨の状態として満杯と品切の少なくとも一方の状態を表示する、ことを特徴とする請求項８記載の釣銭補充管理システム。
【請求項１０】
棒金収納庫から取り出された棒金硬貨である取出棒金硬貨の包装を解いて得られたバラ硬貨の硬貨釣銭機への補充を管理する釣銭補充管理方法であって、
前記棒金収納庫は、前記硬貨釣銭機の近傍に配設されると共に、特定金種の棒金硬貨をそれぞれ１本ずつ収納可能な複数の棒金収納部を有し、複数金種の棒金硬貨を収納可能に構成され、
当該管理方法は、
前記棒金収納庫の各棒金収納部ごとに棒金硬貨の有無を検知する棒金有無検知工程と、
前記硬貨釣銭機へ釣銭用として補充されるバラ硬貨の金種および枚数を識別する識別工程と、
前記取出棒金硬貨の包装を解いて得られたバラ硬貨が前記硬貨釣銭機へ補充された際に前記識別工程によって識別された当該バラ硬貨の金種および枚数と、前記棒金有無検知工程での検知結果に基づく前記取出棒金硬貨の金種および本数とを比較して両者間の対応を判定する判定工程と、
を備える、ことを特徴とする釣銭補充管理方法。
【請求項１１】
棒金収納庫から取り出された棒金硬貨である取出棒金硬貨の包装を解いて得られたバラ硬貨の硬貨釣銭機への補充を管理する釣銭補充管理方法であって、
前記棒金収納庫は、前記硬貨釣銭機の近傍に配設されると共に、棒金硬貨をそれぞれ１本ずつ収納可能な複数の棒金収納部を有し、複数金種の棒金硬貨を収納可能に構成され、
当該管理方法は、
前記棒金収納庫の各棒金収納部ごとに棒金硬貨の有無および金種を検知する棒金検知工程と、
前記硬貨釣銭機へ釣銭用として補充されるバラ硬貨の金種および枚数を識別する識別工程と、
前記取出棒金硬貨の包装を解いて得られたバラ硬貨が前記硬貨釣銭機へ補充された際に前記識別工程によって識別された当該バラ硬貨の金種および枚数と、前記棒金検知工程での検知結果に基づく前記取出棒金硬貨の金種および本数とを比較して両者間の対応を判定する判定工程と、
を備える、ことを特徴とする釣銭補充管理方法。
【請求項１２】
複数金種の棒金硬貨を収納可能な棒金収納庫であって、
収納庫本体と、
この収納庫本体に対して引出し自在に設けられ、特定金種の棒金硬貨をそれぞれ１本ずつ収納可能な複数の棒金収納部が設けられた少なくとも１つの棒金ドロアと、
この棒金ドロアの各棒金収納部ごとに棒金硬貨の有無を検知する棒金有無検知手段と、
この有無検知手段による検知結果を送信する検知結果送信手段と、
を備え、
前記棒金収納庫の各棒金収納部ごとに棒金硬貨の有無を検知する棒金有無検知工程と、硬貨釣銭機へ釣銭用として補充されるバラ硬貨の金種および枚数を識別する識別工程と、前記棒金収納庫から取り出された棒金硬貨である取出棒金硬貨の包装を解いて得られたバラ硬貨が前記硬貨釣銭機へ補充された際に前記識別工程によって識別された当該バラ硬貨の金種および枚数と、前記棒金有無検知工程での検知結果に基づく前記取出棒金硬貨の金種および本数とを比較して両者間の対応を判定する判定工程と、を備えた釣銭補充管理方法に用いられる、ことを特徴とする棒金収納庫。
【請求項１３】
複数金種の棒金硬貨を収納可能な棒金収納庫であって、
収納庫本体と、
この収納庫本体に対して引出し自在に設けられ、特定金種の棒金硬貨をそれぞれ１本ずつ収納可能な複数の棒金収納部が設けられた少なくとも１つの棒金ドロアと、
この棒金ドロアの各棒金収納部ごとに棒金硬貨の有無および金種を検知する棒金有無検知手段と、
この有無検知手段による検知結果を送信する検知結果送信手段と、
を備え、
前記棒金収納庫の各棒金収納部ごとに棒金硬貨の有無および金種を検知する棒金検知工程と、硬貨釣銭機へ釣銭用として補充されるバラ硬貨の金種および枚数を識別する識別工程と、前記棒金収納庫から取り出された棒金硬貨である取出棒金硬貨の包装を解いて得られたバラ硬貨が前記硬貨釣銭機へ補充された際に前記識別工程によって識別された当該バラ硬貨の金種および枚数と、前記棒金検知工程での検知結果に基づく前記取出棒金硬貨の金種および本数とを比較して両者間の対応を判定する判定工程と、を備えた釣銭補充管理方法に用いられる、ことを特徴とする棒金収納庫。
【請求項１４】
棒金収納庫から取り出された棒金硬貨である取出棒金硬貨の包装を解いて得られたバラ硬貨が硬貨釣銭機へ補充された際に、前記硬貨釣銭機の識別手段により識別された当該バラ硬貨の金種および枚数と、前記棒金収納庫の棒金ドロアの各棒金収納部ごとに棒金硬貨の有無を検知する棒金有無検知手段による検知結果に基づいて特定された前記取出棒金硬貨の金種および本数とを比較して両者間の対応を判定する、ことを特徴とする判定手段。
【請求項１５】
棒金収納庫から取り出された棒金硬貨である取出棒金硬貨の包装を解いて得られたバラ硬貨が硬貨釣銭機へ補充された際に、前記硬貨釣銭機の識別手段により識別された当該バラ硬貨の金種および枚数と、前記棒金収納庫の棒金ドロアの各棒金収納部ごとに棒金硬貨の有無および金種を検知する棒金有無検知手段による検知結果に基づいて特定された前記取出棒金硬貨の金種および本数とを比較して両者間の対応を判定する、ことを特徴とする判定手段。
【手続補正３】
【補正対象書類名】明細書
【補正対象項目名】０００１
【補正方法】変更
【補正の内容】
【０００１】
本発明は、棒金硬貨（同一金種の硬貨を一定枚数だけ棒状にまとめて包装したもの）の包装を解いて得られたバラ硬貨を釣銭用として硬貨釣銭機に補充する際の管理を行うための釣銭補充管理システム、釣銭補充管理方法、棒金収納庫および判定手段に関する。
【手続補正４】
【補正対象書類名】明細書
【補正対象項目名】０００５
【補正方法】変更
【補正の内容】
【０００５】
本発明は、このような点を考慮してなされたものであり、取り出された棒金硬貨と、釣銭用として補充されたバラ硬貨との間の対応を正確に管理することのできる釣銭補充管理システム、釣銭補充管理方法、棒金収納庫および判定手段を提供することを目的とする。
【手続補正５】
【補正対象書類名】明細書
【補正対象項目名】０００９
【補正方法】変更
【補正の内容】
【０００９】
これらの釣銭補充管理システムによれば、金銭登録機の判定手段によって、棒金収納庫における棒金硬貨の検知結果に基づいて特定された取出棒金硬貨の金種および本数と、取出棒金硬貨の包装を解いて得られたバラ硬貨が硬貨釣銭機の投入口へ投入された際に硬貨釣銭機の識別手段により識別されたバラ硬貨の金種および枚数とを比較して、両者間の対応を判定することができる。これにより、取り出された棒金硬貨と、釣銭用として補充されたバラ硬貨との間の対応を正確に管理することができる。
本発明は、もう１つの観点から、棒金収納庫から取り出された棒金硬貨である取出棒金硬貨の包装を解いて得られたバラ硬貨の硬貨釣銭機への補充を管理する釣銭補充管理方法であって、前記棒金収納庫は、前記硬貨釣銭機の近傍に配設されると共に、特定金種の棒金硬貨をそれぞれ１本ずつ収納可能な複数の棒金収納部を有し、複数金種の棒金硬貨を収納可能に構成され、当該管理方法は、前記棒金収納庫の各棒金収納部ごとに棒金硬貨の有無を検知する棒金有無検知工程と、前記硬貨釣銭機へ釣銭用として補充されるバラ硬貨の金種および枚数を識別する識別工程と、前記取出棒金硬貨の包装を解いて得られたバラ硬貨が前記硬貨釣銭機へ補充された際に前記識別工程によって識別された当該バラ硬貨の金種および枚数と、前記棒金有無検知工程での検知結果に基づく前記取出棒金硬貨の金種および本数とを比較して両者間の対応を判定する判定工程とを備える、ことを特徴とする釣銭補充管理方法を提供する。
また、本発明は、同様の観点から、棒金収納庫から取り出された棒金硬貨である取出棒金硬貨の包装を解いて得られたバラ硬貨の硬貨釣銭機への補充を管理する釣銭補充管理方法であって、前記棒金収納庫は、前記硬貨釣銭機の近傍に配設されると共に、棒金硬貨をそれぞれ１本ずつ収納可能な複数の棒金収納部を有し、複数金種の棒金硬貨を収納可能に構成され、当該管理方法は、前記棒金収納庫の各棒金収納部ごとに棒金硬貨の有無および金種を検知する棒金検知工程と、前記硬貨釣銭機へ釣銭用として補充されるバラ硬貨の金種および枚数を識別する識別工程と、前記取出棒金硬貨の包装を解いて得られたバラ硬貨が前記硬貨釣銭機へ補充された際に前記識別工程によって識別された当該バラ硬貨の金種および枚数と、前記棒金検知工程での検知結果に基づく前記取出棒金硬貨の金種および本数とを比較して両者間の対応を判定する判定工程とを備える、ことを特徴とする釣銭補充管理方法を提供する。
これらの釣銭補充管理方法によれば、判定工程において、取出棒金硬貨の包装を解いて得られたバラ硬貨が硬貨釣銭機へ補充された際に識別工程で識別されたバラ硬貨の金種および枚数と、棒金有無検知工程／棒金検知工程での検知結果に基づく取出棒金硬貨の金種および本数とを比較して、両者間の対応を判定することができる。これにより、取り出された棒金硬貨と、釣銭用として補充されたバラ硬貨との間の対応を正確に管理することができる。
また、本発明は、複数金種の棒金硬貨を収納可能な棒金収納庫であって、収納庫本体と、この収納庫本体に対して引出し自在に設けられ、特定金種の棒金硬貨をそれぞれ１本ずつ収納可能な複数の棒金収納部が設けられた少なくとも１つの棒金ドロアと、この棒金ドロアの各棒金収納部ごとに棒金硬貨の有無を検知する棒金有無検知手段と、この有無検知手段による検知結果を送信する検知結果送信手段と、を備え、前記棒金収納庫の各棒金収納部ごとに棒金硬貨の有無を検知する棒金有無検知工程と、硬貨釣銭機へ釣銭用として補充されるバラ硬貨の金種および枚数を識別する識別工程と、前記棒金収納庫から取り出された棒金硬貨である取出棒金硬貨の包装を解いて得られたバラ硬貨が前記硬貨釣銭機へ補充された際に前記識別工程によって識別された当該バラ硬貨の金種および枚数と、前記棒金有無検知工程での検知結果に基づく前記取出棒金硬貨の金種および本数とを比較して両者間の対応を判定する判定工程と、を備えた釣銭補充管理方法に用いられる、ことを特徴とする棒金収納庫を提供する。
また、本発明は、複数金種の棒金硬貨を収納可能な棒金収納庫であって、収納庫本体と、この収納庫本体に対して引出し自在に設けられ、特定金種の棒金硬貨をそれぞれ１本ずつ収納可能な複数の棒金収納部が設けられた少なくとも１つの棒金ドロアと、この棒金ドロアの各棒金収納部ごとに棒金硬貨の有無および金種を検知する棒金有無検知手段と、この有無検知手段による検知結果を送信する検知結果送信手段と、を備え、前記棒金収納庫の各棒金収納部ごとに棒金硬貨の有無および金種を検知する棒金検知工程と、硬貨釣銭機へ釣銭用として補充されるバラ硬貨の金種および枚数を識別する識別工程と、前記棒金収納庫から取り出された棒金硬貨である取出棒金硬貨の包装を解いて得られたバラ硬貨が前記硬貨釣銭機へ補充された際に前記識別工程によって識別された当該バラ硬貨の金種および枚数と、前記棒金検知工程での検知結果に基づく前記取出棒金硬貨の金種および本数とを比較して両者間の対応を判定する判定工程と、を備えた釣銭補充管理方法に用いられる、ことを特徴とする棒金収納庫を提供する。
また、本発明は、棒金収納庫から取り出された棒金硬貨である取出棒金硬貨の包装を解いて得られたバラ硬貨が硬貨釣銭機へ補充された際に、前記硬貨釣銭機の識別手段により識別された当該バラ硬貨の金種および枚数と、前記棒金収納庫の棒金ドロアの各棒金収納部ごとに棒金硬貨の有無を検知する棒金有無検知手段による検知結果に基づいて特定された前記取出棒金硬貨の金種および本数とを比較して両者間の対応を判定する、ことを特徴とする判定手段を提供する。
また、本発明は、棒金収納庫から取り出された棒金硬貨である取出棒金硬貨の包装を解いて得られたバラ硬貨が硬貨釣銭機へ補充された際に、前記硬貨釣銭機の識別手段により識別された当該バラ硬貨の金種および枚数と、前記棒金収納庫の棒金ドロアの各棒金収納部ごとに棒金硬貨の有無および金種を検知する棒金有無検知手段による検知結果に基づいて特定された前記取出棒金硬貨の金種および本数とを比較して両者間の対応を判定する、ことを特徴とする判定手段を提供する。